(57)【要約】【課題】  透明な非表示領域を透して遊技役物を目視させる液晶表示装置を備え、製造プロセスを高度化等することなく表示領域と非表示領域との境界部分を鮮明にする等して表示品質を確保する。【解決手段】  液晶表示装置（ＬＣＤ）に形成された表示領域（ＤＳＰ）に密着される偏光板（４０ａ、４０ｂ）の一部を非表示領域（ＳＰＣ）の外縁より僅かに進出させて配置し、非表示領域に対応する形状の枠パターン（５ｃ）をスロットマシンの前面に位置する中パネル板（５ａ）に印刷する。偏光板と非表示領域の周縁とがラップする不透明領域に中パネル板の枠パターンが対向し、これにより、表示領域と非表示領域との境界が鮮明になる。【選択図】  図７
2007020632.tif 000002
【特許請求の範囲】
【請求項１】
画像を表示する表示領域の一部に透明な非表示領域が形成された液晶表示装置と、該液晶表示装置が画像を表示する正面側に配置された透明なパネル板と、当該液晶表示装置の背面側に設けられ前記パネル板及び前記非表示領域を透して正面側の遊技者に目視可能とされる遊技役物又は演出役物とを少なくとも備える遊技機であって、
前記液晶表示装置に形成された前記表示領域に密着される偏光板の一部を前記非表示領域の外縁より所定量だけ内方に進出して設け、
前記非表示領域に進出する前記偏光板の一部が遊技者に対する方向において投影される前記パネル板の領域に遮光性のパターンが配置されていることを特徴とする遊技機。
【発明の詳細な説明】
【技術分野】
【０００１】
本発明は、例えばスロットマシン等の遊技機に関し、特に、演出表示を行う液晶表示装置を備えた遊技機に関する。
【背景技術】
【０００２】
遊技者にゲームをより楽しんでもらうため、演出表示を行う液晶表示装置を備えた遊技機が知られている。
【０００３】
例えば、遊技者の操作に従って、図柄の描かれた複数個の回胴リールを回転及び停止させ、揃った図柄の配列に応じて遊技メダルの払い出し等を行うスロットマシンにあっては、前面パネルの上側等に小型の液晶表示装置を設けたもの（例えば、特許文献１参照）から、近時、前面パネルのほぼ全領域に大型の液晶表示装置を設けたものへと展開が図られ、表示領域の拡大化によって視覚効果の高い演出表示を行うスロットマシンが遊技場等において出現している。
【０００４】
すなわち、特許文献１に開示されているいわゆる旧来の一般的なスロットマシンにあっては、複数個の回胴リールを収容している筐体に、前面パネルを有する前扉が取り付けられ、前面パネルの略中央領域に形成されている透明な透過窓を介して、遊技者が筐体内の複数個の回胴リールの動きや図柄を視認することが可能となっている。そして、前面パネルに化粧パネルとしての機能を発揮させ、更に透過窓の邪魔にならない部分、すなわち前面パネルの上側等に、演出表示を行う小型の液晶表示装置が設けられている。
【０００５】
これに対し、近時、遊技場等において出現している大型の液晶表示装置を備えたスロットマシンにあっては、大きな表示領域を有する透過型の液晶表示装置が前面パネルの略全面に取り付けられており、表示領域の拡大化に伴って、より臨場感等の得られる演出表示を行うことを可能にしている。
【０００６】
すなわち、前面パネルに取り付けた大型の液晶表示装置を介して筐体内の回胴リールを目視させるために、従来、表示窓として形成される領域に画像を表示させない透明な非表示領域（透過領域）を形成するとともに、その領域のみカラーフィルタやブラックマトリクス等を除去して光の透過率を向上させた透過型の液晶表示装置が普及してきている。
【０００７】
【特許文献１】特開２００３−２２０１７８号公報
【発明の開示】
【発明が解決しようとする課題】
【０００８】
ところで、上述のスロットマシンに設けられている透過型の液晶表示装置にあっては、回胴リールの表示窓を形成する透過領域の光透過率を更に高めるため、カラーフィルタ等の他にも液晶パネル本体に密着される偏光板も透過領域の部分から除去することが要求されている。
【０００９】
この場合、液晶パネル本体の非表示領域と偏光板の開口部（除去部）との配置関係に僅かでも誤差が生じると、表示領域の端部では画像途切れ（本来の画像が表示されない現象）や光漏れが生じ、また非表示領域（透過領域）の端部では半透明となる等の問題が生じてしまう。
【００１０】
ところが、現実には、液晶パネル本体の表示領域と偏光板との端部同士を正確に一致させて位置決めすることは、これら構成部品の寸法誤差や組み立ての際の誤差等の製造工程上の種々の理由から極めて困難であり、演出表示装置の表示及び透過性能を向上させるために表示領域と非表示領域との境界部分を鮮明にすることが技術的な課題としてあった。
【００１１】
本発明は、こうした従来の問題に鑑みてなされたものであり、透明な非表示領域を透して遊技役物等を目視させる液晶表示装置を備え、当該液晶表示装置の製造プロセスを高度化等することなく表示領域と非表示領域との境界部分を鮮明にして、視覚的な演出効果を高めた遊技機を提供することを目的としている。
【課題を解決するための手段】
【００１２】
上述した課題を解決するため、請求項１に記載の発明は、画像を表示する表示領域の一部に透明な非表示領域が形成された液晶表示装置と、該液晶表示装置が画像を表示する正面側に配置された透明なパネル板と、当該液晶表示装置の背面側に設けられ前記パネル板及び前記非表示領域を透して正面側の遊技者に目視可能とされる遊技役物又は演出役物とを少なくとも備える遊技機であって、前記液晶表示装置に形成された前記表示領域に密着される偏光板の一部を前記非表示領域の外縁より所定量だけ内方に進出して設け、前記非表示領域に進出する前記偏光板の一部が遊技者に対する方向において投影される前記パネル板の領域に遮光性のパターンが配置されていることを特徴とする。
【００１３】
請求項１に記載の遊技機によれば、液晶表示装置の表示領域に密着した偏光板の一部が非表示領域に進出して半透明となる領域と、遊技機正面側の透明なパネル板に配置された枠パターンとが前後方向において互いに投影される位置関係となる。このため、枠パターンによって半透明領域が遊技者から見て視覚的に隠され、当該表示領域と非表示領域との境界が鮮明に区分けされる。
【００１４】
また、液晶表示装置の表示領域に密着される偏光板の一部を非表示領域の外縁より所定量だけ内方に進出して配置するので、当該偏光板の位置決め誤差が吸収され、非表示領域との境界付近における画像途切れ等の不具合を解消する。
【発明の効果】
【００１５】
本発明の遊技機によれば、背面側に設けた遊技役物等を透明な非表示領域を透して目視可能とする透過型の液晶表示装置を備え、当該液晶表示装置の表示領域と非表示領域との境界を鮮明にし視認性を向上させることができる。また、液晶表示装置の製造プロセスを高度化若しくは複雑化等することなく、簡素な構成で高い光透過率の透過領域を形成するとともに、表示領域の画像品質も確保することができる。したがって、液晶表示装置を使った遊技機における視覚的な演出効果を高めることができる。
【発明を実施するための最良の形態】
【００１６】
以下、本発明の遊技機に係る好適な実施の形態として、パチンコホール等の遊技施設に設置されるスロットマシンについて、図面を参照ながら説明する。ここで、図１は、本実施形態のスロットマシンの外部構造を表した斜視図、図２は、本スロットマシンの前扉を開いて内部構造を表した図である。図３〜図７は、本スロットマシンに設けられている表示パネルユニットの構造を表した図である。
【００１７】
まず、図１及び図２に基づいて、本実施形態のスロットマシン１の全体的な構造を説明すると、このスロットマシン１は、筐体２と、筐体２の前端部に開閉自在に取り付けられて遊技者に面する前扉３とを備えて構成されている。
【００１８】
前扉３には、図１に示すように、略中央部分に操作パネル部４が設けられ、操作パネル部４の上方に前面パネル部５、操作パネル部４の下方に遊技メダルを払い出すためのメダル受け皿６が設けられている。
【００１９】
操作パネル部４には、ベットボタン４ａ、メダル投入部４ｂ、スタートレバー４ｃ及び３個のストップボタン４ｄが設けられている。
【００２０】
前面パネル部５の上方には更に、クレジット枚数、ベット（ＢＥＴ）枚数、及びメダルの払い出し状況等を表示するための遊技状態表示部７が設けられている。
【００２１】
前面パネル部５には、当該前面パネル部５の略全面を外部から保護する長方形状の透明アクリル板からなる中パネル板５ａが組み付けられ、当該中パネル板５ａの背面側に大面積の表示領域を有する後述の液晶表示装置としての透過型の液晶表示パネルＬＣＤが組み付けられ、液晶表示パネルＬＣＤの表示領域が中パネル板５ａを介して遊技者側に面している。
【００２２】
更に、詳細については後述するが、遊技者は中パネル板５ａの略中央部分に設けられ、光を透さない矩形の枠パターン５ｃで囲まれた透過領域５ｂを介して、背面側の回胴リール装置１７を見ることが可能となっている。
【００２３】
前扉３の背面側には、図２に示すように、液晶表示パネルＬＣＤが設けられたバケット形状の表示パネルユニット８が上述の中パネル板５ａに対向して取り付けられる他、表示パネルユニット８の下方に、メダルセレクタ９と、フローシュート１０、払出メダル案内部１１、及び演出用スピーカ１２ａ、１２ｂが取り付けられている。
【００２４】
ここで、表示パネルユニット８には、上述の透過領域５ｂに背面側から対向する長方形状の開口穴１３が形成されており、更に、液晶表示パネルＬＣＤの表示領域が中パネル板５ａ側に対向するようにして、表示パネルユニット８に対して液晶表示パネルＬＣＤが設けられている。
【００２５】
更に、表示パネルユニット８の所定部分には、回胴リール１７ａ、１７ｂ、１７ｃの外周面を照明する冷極管１４と、冷極管１４を駆動するためのインバータ回路基板１５と、主制御基板１８からの指示に従って図１の遊技状態表示部７と液晶表示パネルＬＣＤに画像データを供給して演出表示を行わせるサブ制御基板１６とが設けられている。
【００２６】
筐体２内には、横３列の回胴リール１７ａ、１７ｂ、１７ｃを備えた回胴リール装置１７が設けられ、回胴リール装置１７の上方に、ゲームの進行と演出表示の制御を含む本スロットマシン１の動作全体を制御する主制御基板１８が設けられ、回胴リール装置１７の下方に、メダルホッパー１９とオーバーフロータンク２０及び電源装置２１が設けられている。
【００２７】
また、メダルホッパー１９の側端部に、払出メダル案内部１１側へメダルを出力するメダル出力孔１９ａが設けられ、筐体２の前端部に、前扉３と係合する錠受け２ａ、２ｂが設けられている。
【００２８】
回胴リール装置１７は、前扉３が筐体２側に閉じられた際、横３列の回胴リール１７ａ、１７ｂ、１７ｃが表示パネルユニット８の開口穴１３に対向するように位置合わせして筐体２内に取り付けられている。
【００２９】
主制御基板１８は、図示していない配線ケーブルを介して、サブ制御基板１６、メダルセレクタ９、メダルホッパー１９、電源装置２１、操作パネル部４に設けられているベットボタン４ａとメダル投入部４ｂとスタートレバー４ｃ及びストップボタン４ｄ等に夫々電気的に接続されている。
【００３０】
次に、図３及び図４を参照して、前扉３の背面側に取り付けられている、液晶表示パネルＬＣＤを有する表示パネルユニット８の構造を説明する。
【００３１】
図３は、表示面側から見た場合の表示パネルユニット８の構造を表した分解斜視図、図４は、表示パネルユニット８の構造を背面側から見た場合の分解斜視図である。なお、図４では、便宜上、液晶表示パネルＬＣＤが省略して示されている。
【００３２】
図３において、表示パネルユニット８は、硬質プラスチックで成型された矩形状の支持フレーム２２と、支持フレーム２２の前端部にねじ止め等によって固定された液晶表示パネルＬＣＤと、支持フレーム２２の上端部に着脱自在に取り付けられたサブ制御基板１６とを備えて構成されている。
【００３３】
支持フレーム２２の上側部には、背面側に傾斜した斜面を有する凹形状の収容室２３が一体成型されており、収容室２３には、液晶表示パネルＬＣＤを駆動する駆動回路基板２４が収容されるとともに、図示しない配線ケーブルを介して液晶表示パネルＬＣＤと駆動回路基板２４とが接続され、且つ駆動回路基板２４とサブ制御基板１６とが接続されている。
【００３４】
硬質プラスチックからなる矩形状の支持枠２５は、図１に示した前面パネル部（中パネル板５ａ）の背面側に、ねじ等によって強固に固着されている。更に、支持枠２５の上側部に一体成型されている係合突起２５ａ、２５ｂと支持フレーム２２に形成されている係合溝２２ａ、２２ｂとが係合され、更に支持フレーム２２の下端部と支持枠２５の下端部とがねじ止め固定されることにより、液晶表示パネルＬＣＤを備えた支持フレーム２２が支持枠２５の背面側に着脱可能に固着されている。
【００３５】
つまり、係合突起２５ａ、２５ｂと係合溝２２ａ、２２ｂとが着脱可能な蝶番構造となっており、係合突起２５ａ、２５ｂに係合溝２２ａ、２２ｂを嵌め合わせ、更に支持フレーム２２の下端部と支持枠２５の下端部とをねじ止め固定することにより、表示パネルユニット８が支持フレーム２２に掛けた状態で固着されている。
【００３６】
また、支持枠２５は、演出等の表示を行う液晶表示パネルＬＣＤの前面領域と略同じ大きさの矩形状の開口２５ｃを有し、当該開口２５ｃを介して、液晶表示パネルＬＣＤの表示領域ＤＳＰが中パネル板５ａ側に対向し且つ遊技者側に面するようになっている。
【００３７】
更に、支持フレーム２２には、図２に示した矩形状の開口穴１３が形成されている。すなわち、図４を参照して開口穴１３の構造を解りやすく述べると、支持フレーム２２は、液晶表示パネルＬＣＤが固着される矩形状の第１フレーム２２ａａと、第１フレーム２２ａａの背面に一体に組み付けられた矩形状の第２フレーム２２ｂｂとを備えて構成されており、第１フレーム２２ａａと第２フレーム２２ｂｂとを一体に組み付けることにより、第１フレーム２２ａａに形成されている矩形状の開口１３ａと第２フレーム２２ｂｂに形成されている矩形状の開口１３ｂとが連通した開口穴１３が形成されている。
【００３８】
また、第２フレーム２２ｂｂの上側部には、ブラケット（連結部材）２６ａ、２６ｂが固定されており、該ブラケット２６ａ、２６ｂ上にサブ制御基板１６が着脱可能に取り付けられ、更に、第２フレーム２２ｂｂの開口１３ｂより上方の背面部に、陰極管１４とインバータ回路基板１５が取り付けられている。
【００３９】
次に、上述した支持フレーム２２と支持枠２５との間に介装されて透過型液晶表示装置の表示パネルユニット８を構成する液晶表示パネルＬＣＤの構造を、図５〜図７を参照しながら説明する。
【００４０】
なお、図５は液晶表示パネルＬＣＤの分解斜視図、図６（ａ）はスロットマシン１に取り付けられた液晶表示パネルＬＣＤの縦断面構造を模式的に表した図、図６（ｂ）は液晶表示パネルＬＣＤに設けられている液晶パネル本体の構造を模式的に表した縦断面図、更に、図７は液晶パネル本体の表示面側から見た場合の外観斜視図である。
【００４１】
まず、図５及び図６において、液晶表示パネルＬＣＤは、遊技者側に面する矩形状の前フレーム２７と背面側の後フレーム２８とを備え、前フレーム２７と後フレーム２８とを組み合わせることによって液晶表示パネルＬＣＤの筐体が構成されている。
【００４２】
前フレーム２７には、演出等の表示を行う液晶パネル本体３０の前面領域に対応して略同形の矩形状の開口２７ａが形成されており、該開口２７ａの上側内壁と下側内壁に、バックライト用の光を導光板３５に入射する光源としての陰極管ＬＰ１、ＬＰ２が設けられている。
【００４３】
後フレーム２８には、支持フレーム２２に形成されている開口穴１３と対向する略同じ大きさの矩形状の開口２８ａが形成され、該開口２８ａを密閉する無色透明な保護シート（薄いプラスチックシート）２９が後フレーム２８の背面に接着されている。
【００４４】
更に、前フレーム２７と後フレーム２８とが相対向して組み合わされた上述の筐体内には、前フレーム２７側から順に、液晶パネル本体３０、透明な紫外線カットシート（ＵＶカットシート）３１、第１の光拡散シート３２、レンズシート３３、第２の光拡散シート３４、硬質プラスチックからなる導光板３５、半透明な第１、第２の反射シート３６、３７が積層されて収容され、これら各構成要素３０、３１、３２、３３、３４、３５、３６、３７は、全て前フレーム２７及び後フレーム２８と略同じ矩形状に形成されている。
【００４５】
ここで、液晶パネル本体３０には、支持フレーム２２に形成されている開口穴１３及び後フレーム２８に形成されている開口２８ａと対向する略同じ大きさの矩形状の透過部ＳＰＣが透明な領域として形成されている。
【００４６】
更に、紫外線カットシート３１と、第１の光拡散シート３２、レンズシート３３、第２の光拡散シート３４、導光板３５、第１、第２の反射シート３６、３７には、上述の支持フレーム２２の開口穴１３と後フレーム２８の開口２８ａ及び液晶パネル本体３０の透過部ＳＰＣに対向する略同じ大きさの矩形状の開口３１ａ、３２ａ、３３ａ、３４ａ、３５ａ、３６ａ、３７ａが形成されている。
【００４７】
液晶パネル本体３０は、図６（ｂ）の模式的な断面図に示すように、前方に面して相対向する一対の透明ガラス基板３８ａ、３８ｂの間に液晶３９が充填されて密封さており、透明ガラス基板３８ａの液晶３９側の面に、３原色カラーフィルタ（図示略）と、ＩＴＯ（Indium Tin Oxide）からなる透明電極群（図示略）が形成され、透明ガラス基板３８ｂの液晶３９側の面にコモン電極としての透明電極群（図示略）が形成されている。また、透明ガラス基板３８ａ、３８ｂの外側の各面に、相互に偏光方向が直交する偏光板４０ａ、４０ｂが密着して配置されている。
【００４８】
そして、透明ガラス基板３８ａに形成されている透明電極群と透明ガラス基板３８ｂに形成されている透明電極群との間に駆動回路基板２４から画像形成用の駆動信号が印加され、電気光学的効果によって液晶３９内に生じる光透過率の変化により演出画像が形成される。
【００４９】
上述した透明な非表示領域として形成される透過部ＳＰＣ内には液晶が充填されておらず、枠体４０の外壁と透明ガラス基板３８ａ、３８ｂとで画成された外側領域内に液晶３９が充填されている。このため、透明ガラス基板３８ａに形成されている透明電極群と透明ガラス基板３８ｂに形成されている透明電極群との間に駆動回路基板２４から画像形成用の駆動信号が印加されると、上述の液晶３９が充填されている外側の表示領域ＤＳＰには演出画像が形成され、液晶が充填されていない透過部ＳＰＣは、駆動信号の印加の有無にかかわらず常に透明な非表示領域となる。
【００５０】
各透明ガラス基板３８ａ、３８ｂに密着配置されている偏光板４０ａ、４０ｂは、透過領域５ｂにおいて高い光透過率を確保するために、透過部ＳＰＣに対向する部分が開口となっている。ただし詳細には、図６（ｂ）に示されるように、偏光板４０ａ、４０ｂの矩形状の開口縁４０ａａ、４０ｂｂが透過部ＳＰＣの周縁から内方に僅かに進出して配置され、すなわち、透過部ＳＰＣよりも偏光板４０ａ、４０ｂの開口の方が若干狭く形成されている。これにより、透明ガラス基板３８ａ、３８ｂ内への液晶の充填領域、透明電極群の積層パターン、カラーフィルタの配置等の種々の条件で実際上決まる液晶パネル本体３０の表示領域ＤＳＰと、当該表示領域ＤＳＰを除く透過部ＳＰＣとに対して、液晶パネル本体３０の製造過程において偏光板４０ａ、４０ｂの位置が多少ズレたとしても、設計上予め設けられているラップ量（余裕値）よりもそのズレが小さければ、表示領域ＤＳＰの端部における画像途切れ等の不具合を発生させないようにすることができる。
【００５１】
更に、透過型の液晶表示パネルＬＣＤを装備するスロットマシン１の特徴的な構造として、当該液晶表示パネルＬＣＤの表示面側に対向して前面パネル部５を構成する無色透明の中パネル板５ａに、矩形の透過領域５ｂの周縁を直線で囲む印刷パターンとして枠パターン５ｃが配置されている。
【００５２】
中パネル板５ａに印刷配置されている枠パターン５ｃは、図７の円内に詳細に示すように、上述した透過部ＳＰＣに偏光板４０ａが進出している領域（ラップ領域）と前後方向において対向している。すなわち、枠パターン５ｃは、前方の遊技者に対する方向において液晶表示パネルＬＣＤのラップ領域が中パネル板５ａに投影される位置範囲に配置されている。これにより、偏光板４０ａ、４０ｂの一部が透過部ＳＰＣの縁部から進出して構造上生じる半透明な領域が、遊技者側から見ると、中パネル板５ａに形成した枠パターン５ｃによって視覚的に隠される。したがって、液晶表示パネルＬＣＤの表示領域ＤＳＰと透過領域５ｂ（透過部ＳＰＣ）とが鮮明に区分けされることとなる。
【００５３】
また、かかる構成の液晶表示パネルＬＣＤによれば、回胴リール１７ａ、１７ｂ、１７ｃを目視させる透過領域５ｂを高い光透過率で形成することができ、特に高度な製造プロセスを要することなく、画像品質及び透過性能を良好にすることができる。したがって、スロットマシン１の視覚的な演出効果を高めることに貢献する。
【００５４】
なお、図６及び図７に示される実施形態においては、枠パターン５ｃを中パネル板５ａの前面側に印刷した例を示しているが、上述のラップ領域に対し上述の投影関係を有していれば、枠パターン５ｃを中パネル板５ａの背面側に印刷するものでもよい。
【００５５】
また、本発明に係る遮光手段は、例えばプラスチック成型品からなる遮光部材を偏光板４０ａの開口周縁に貼着するものであってもよい。また、透明で薄いフィルムシート（保護シートを兼ねるものでもよい）に矩形枠状の遮光領域を印刷し、偏光板４０ａの開口周縁である上記ラップ領域に当該遮光領域を位置合わせして、当該フィルムシートを偏光板４０ａに密着配置させるように構成したものでもよい。
【００５６】
また、液晶表示パネルＬＣＤの背面側から透視させる役物としては、本実施形態で挙げた回胴リール装置１７等の遊技役物に限定されず、例えば遊技に登場するキャラクターを模したフィギュア（人形）等の遊技演出に関わる遊技役物を液晶表示パネルＬＣＤの背面側に配置した演出装置を備える遊技機にも適用することができる。
【００５７】
以上説明したように、本実施形態のスロットマシン１によれば、回胴リール１７ａ、１７ｂ、１７ｃを透視させる透過領域５ｂが形成された透過型の液晶表示パネルＬＣＤを備え、その非表示領域である透過部ＳＰＣの外縁部分に偏光板４０ａ、４０ｂの一部が進出するようにして設けた。これにより、製造過程における偏光板４０ａ、４０ｂの位置決め誤差を吸収し、表示領域ＤＳＰの端部において画像が途切れるといった不具合の発生を抑制することができる。
【００５８】
また、スロットマシン１の前面パネル部５を構成する無色透明の中パネル板５ａに、透過領域５ｂの矩形状の周縁と対向する枠パターン５ｃが印刷配置されている。すなわち、枠パターン５ｃは、液晶パネル本体３０の透過部ＳＰＣ外縁に偏光板４０ａが進出する領域（ラップ領域）と前後方向において投影される位置関係を有しており、これにより、透過領域５ｂの矩形状の周縁に構造上生じる半透明な領域が、遊技者側から見ると、枠パターン５ｃによって視覚的に隠される。したがって、液晶表示パネルＬＣＤの表示領域ＤＳＰと非表示領域（透過領域５ｂ）との境界を鮮明に区分けすることができる。
【００５９】
このように、液晶表示パネルＬＣＤの製造プロセスの高度化または品質管理を強化することなしに、簡素な構成で液晶表示パネルＬＣＤの画像品質及び透過性能等を良好にすることができ、これにより、スロットマシン１における視覚的な演出効果を高めることができる。
【産業上の利用可能性】
【００６０】
本発明は、スロットマシン等の回胴式遊技機だけでなく、透過型の液晶表示装置を遊技者側に面して配置し、液晶表示装置の背面側に他の遊技役物若しくは演出役物等を配置して透視させる構造を有する遊技機に用いて有用であり、特に、液晶表示装置により演出表示を行いつつ背面側の遊技役物等を視認可能とすることで効果的な演出を行う遊技機の実現に好適である。
【図面の簡単な説明】
【００６１】
【図１】図１は本発明の一実施形態によるスロットマシンの外観構造を表した斜視図である。
【図２】図２は図１に示したスロットマシンの前扉を開いて内部構造を表した図である。
【図３】図３は本発明の一実施形態によるスロットマシンに設けられる液晶パネルユニットの構造を表した分解斜視図である。
【図４】図４は図３に示した液晶パネルユニットをその背面側から見た場合の構造を表した分解斜視図である。
【図５】図５は本発明の一実施形態による液晶パネルユニットに取り付けられている液晶表示パネルの構造を表した分解斜視図である。
【図６】図６は本発明の一実施形態によるスロットマシンに取り付けられた液晶表示パネルの縦断面構造と、液晶表示パネルに設けられている液晶パネル本体の構造とを模式的に表した断面図である。
【図７】図７は本発明の一実施形態による液晶表示パネルを構成する液晶パネル本体をその表示面側から見た場合の斜視図である。
【符号の説明】
【００６２】
１…スロットマシン                    ２…筐体
３…前扉                              ４…操作パネル部
４ａ…ベットボタン                    ４ｂ…メダル投入部
４ｃ…スタートレバー                  ４ｄ…ストップボタン
５…前面パネル部                      ５ａ…中パネル板
５ｂ…透過領域                        ５ｃ…枠パターン
６…メダル受け皿                      ８…表示パネルユニット
９…メダルセレクタ                    １０…フローシュート
１１…払出メダル案内部                １２ａ、１２ｂ…演出用スピーカ
１３…開口穴                          １４…陰極管
１５…インバータ回路基板              １６…サブ制御基板
１７…回胴リール装置                  １７ａ、１７ｂ、１７ｃ…回胴リール
１８…主制御基板                      １９…メダルホッパー
２０…オーバーフロータンク            ２１…電源装置
２２…支持フレーム                    ２３…収容室
２４…駆動回路基板                    ２５…支持枠
２５ａ、２５ｂ…係合突起              ２５ｃ…開口
２６ａ、２６ｂ…ブラケット            ２７…前フレーム
２８…後フレーム                      ２９…保護シート
３０…液晶パネル本体                  ３１…紫外線カットシート
３２…光拡散シート                    ３３…レンズシート
３４…光拡散シート                    ３５…導光板
３６、３７…反射シート                ３８ａ、３８ｂ…透明ガラス基板
３９…液晶                            ４０ａ、４０ｂ…偏光板
ＤＳＰ…表示領域                      ＬＣＤ…液晶表示パネル
ＬＰ１、ＬＰ２…陰極管                ＳＰＣ…透過部
【図１】
2007020632.tif 000003
【図２】
2007020632.tif 000004
【図３】
2007020632.tif 000005
【図４】
2007020632.tif 000006
【図５】
2007020632.tif 000007
【図６】
2007020632.tif 000008
【図７】
2007020632.tif 000009